【手続補正書】
【提出日】平成17年6月23日(2005.6.23)
【手続補正１】
【補正対象書類名】明細書
【補正対象項目名】全文
【補正方法】変更
【補正の内容】
【書類名】                        明細書
【発明の名称】                  扉用錠前
【特許請求の範囲】
【請求項１】  錠ケースに上部回転ラッチと下部回転ラッチから成るラッチ部材を設け、また錠ケース内にラッチロック・ロック解除手段とラッチ没入保持手段とを有するラッチ部材出没機構Ｘを設け、前記ラッチロック・ロック解除手段は、内外の操作部材に設けられ、かつ、それぞれの回動操作に対応して回転する複数個の回転手段と、錠ケースに軸支され、かつ、後端部がこれらの回転手段の先端カム部に当接すると共に、先端部が下部・上部回転ラッチの各係合後端部にそれぞれ係合する下方・上方ラッチロックアームとから成り、前記操作部材をそれぞれ操作すると、各操作部材に連動する前記下方・上方ラッチロックアームを介して上部・下部回転ラッチの水平回転を個別的に許容し、室内外を問わず、操作部材を操作した側或いは操作した側の向こう側にしか開扉することができないようにしたことを特徴とする扉用錠前。
【請求項２】  錠ケースに上部回転ラッチと下部回転ラッチから成るラッチ部材を設け、また錠ケース内にラッチロック・ロック解除手段とラッチ没入保持手段とを有するラッチ部材出没機構を設け、前記ラッチ没入保持手段は、扉を開扉した際にラッチバネのバネ力に抗して錠ケース内に没入したラッチ部材の状態を保持することができるように、閉扉時バネ部材のバネ力により摺接頭部が受け金具に圧接するようにラッチ部材に対して配設されたトリガーと、このトリガーに可動的に設けられ、かつ、開扉の際に該トリガーに連動して錠ケース内に引っ込んだラッチ部材を係止するラッチ突出ストッパーとから成ることを特徴とする扉用錠前。
【請求項３】  上部回転ラッチ３ａと下部回転ラッチ３ｂから成るラッチ部材３と、内外の操作部材６、１０を操作すると、ラッチ部材３の上部・下部回転ラッチ３ａ、３ｂの水平回転を個別的に許容し、かつ、錠ケース５に配設されたラッチ部材出没機構Ｘとを備えた扉用錠前であり、前記上部・下部回転ラッチ３ａ、３ｂは、係合先端部１５の垂直係合面１５ｂが互いに反対向きになるように垂直軸１３を介して一体的に設けられており、一方、ラッチ部材出没機構Ｘは、室内外を問わず、操作部材６、１０を操作した側にしか開扉することができないように、内外の操作部材６、１０に設けられ、かつ、それぞれの回動操作に対応して回転する複数個の回転手段２０、２１と、錠ケース５に軸支され、かつ、後端部がこれらの回転手段２０、２１の先端カム部に当接すると共に、先端部２２ｂ、２３ｂが下部・上部回転ラッチ３ｂ、３ａの各係合後端部１６にそれぞれ係合する下方・上方ラッチロックアーム２２、２３とから成るラッチロック・ロック解除手段７を有し、またラッチ部材出没機構Ｘは、扉４を開扉した際にラッチバネ８のバネ力に抗して錠ケース５内に没入したラッチ部材３の状態を保持することができるように、閉扉時バネ部材３１のバネ力により摺接頭部３５が受け金具２に圧接するようにラッチ部材３に対して配設されたトリガー３２と、このトリガー３２に可動的に設けられ、かつ、開扉の際に該トリガー３２に連動して錠ケース内に引っ込んだラッチ部材３を係止するラッチ突出ストッパー３３とから成るラッチ没入保持手段９を有していることを特徴とする扉用錠前。
【請求項４】  請求項３に於いて、ラッチ没入保持手段９のトリガー３２の摺接頭部３５はイカ耳状に形成され、このイカ耳状の摺接頭部３５にラッチ突出ストッパー３３の一端部３３ａを支持する鉤状カム部３７が連設していることを特徴とする扉用錠前。
【請求項５】  請求項３に於いて、ラッチ没入保持手段９は、錠ケース５内に設けられた上下のトリガー３２と、これらのトリガーの進退動に連動して回転するように、一端部３３ａが各トリガー３２のカム部３７にそれぞれ支持され、かつ、中央部が枢軸３４を介して錠ケース５に軸支されていると共に、その他端部３３ｂが回転ラッチ３ｂ（３ａ）の係合突片１６ａにそれぞれ係合する上下のラッチ突出ストッパー３３とから成ることを特徴とする扉用錠前。
【請求項６】  上部回転ラッチ３ａと下部回転ラッチ３ｂから成るラッチ部材３と、内外の操作部材６Ａ、１０Ａを操作すると、ラッチ部材３の上部・下部回転ラッチ３ａ、３ｂの水平回転を個別的に許容し、かつ、錠ケース５に配設されたラッチ部材出没機構Ｘとを備えた扉用錠前であり、前記上部・下部回転ラッチ３ａ、３ｂは、係合先端部１５の垂直係合面１５ｂが互いに反対向きになるように垂直軸１３を介して一体的に設けられており、一方、ラッチ部材出没機構Ｘは、室内外を問わず、操作部材６Ａ、１０Ａを操作した向う側にしか開扉することができないように、内外の操作部材６Ａ、１０Ａに設けられ、かつ、それぞれの回動操作に対応して回転する複数個の回転手段２１Ａ、２０Ａと、錠ケース５に軸支され、かつ、後端部２２ａ、２３ａがこれらの回転手段２１Ａ、２０Ａの先端カム部に当接すると共に、先端部が下部・上部回転ラッチ３ｂ、３ａの各係合後端部１６にそれぞれ係合する下方・上方ラッチロックアーム２２Ａ、２３Ａとから成るラッチロック・ロック解除手段７Ａを有し、またラッチ部材出没機構Ｘは、扉４を開扉した際にラッチバネ８のバネ力に抗して錠ケース５内に没入したラッチ部材３の状態を保持することができるように、閉扉時バネ部材３１のバネ力により摺接頭部３５が受け金具２に圧接するようにラッチ部材３に対して配設されたトリガー３２と、このトリガー３２に可動的
に設けられ、かつ、開扉の際に該トリガー３２に連動して錠ケース内に引っ込んだラッチ部材３を係止するラッチ突出ストッパー３３とから成るラッチ没入保持手段９を有していることを特徴とする扉用錠前。
【発明の詳細な説明】
【０００１】
【発明の属する技術分野】
本発明は扉用錠前に関する。本発明は、特に建物の扉枠に対し、扉を室内側又は室外側のいずれにでも開くことができるように取付けた、いわゆるスイング方式の扉の場合に適合する。
【０００２】
【従来の技術】
一般に建物の扉枠に取付けられた扉は、室内側か又は室外側かいずれ一方へ開くことができるように取付けられている。具体的には建物内には幾つかの区画された部屋があり、各部屋の出入り口には、普通一般にラッチ部材（ラッチボルト）出没機構を有する扉が設けられている。この場合各部屋の扉は、居住者等の利便性を考慮し、操作者がレバーハンドルを現に操作する室内側にのみ開くようにするか、又は室外側にのみ開くように戸枠に取付けられている。つまり、普通一般に使用されているラッチ部材出没機構付き扉は、スイング方式ではない。ところで、後者のように扉を室外側に開いた時に、当該扉の側に居た人にぶつかる場合がある。このような場合、扉が打ち当たった人が家族や知人ならば特に問題はないが、他人であれば感情的なトラブルが発生する場合もあり得る。また「車椅子に乗った人」が扉を手前側に開いた時、当該扉が邪魔に成り、車椅子に乗ったまま出入りするのが困難な場合がしばしばある。
【０００３】
そこで、現在、不特定多数の人が出入りする場所、例えば健康ランド、各種トレーニング場等の室内の戸枠に取付けられる扉は、操作者側にのみ開くようにすることによって、上記トラブルの発生を未然に防ぐ工夫が要望されている。また「車椅子に乗った人」に優しい扉用錠前の出現が要望されている。と同時に、この種の扉用錠前にあっては、開扉した際にラッチ部材が錠ケースのフロント板から突出し、その結果、閉扉することができないというような不都合を解消することが要望されている。
【０００４】
【発明が解決しようとする課題】
本発明は以上のような従来の要望点に鑑み、まず第１の目的は、扉を開けようとする場合に、操作部材を操作する操作者側にしか扉が開かないことである。また「車椅子に乗った人」の利便性を考え、扉を開けようとする場合に、操作部材を操作する側の向う側にしか扉が開かないことである。次に第２の目的は、開扉した際にラッチ部材が錠ケースのフロント板から突出し、その結果、閉扉することができないというような不都合を解消することができることである。さらに第３の目的は、各構成部材を合理的に組合わせることができることである。
【０００５】
【課題を解決するための手段】
本発明の扉用錠前は、錠ケースに上部回転ラッチと下部回転ラッチから成るラッチ部材を設け、また錠ケース内にラッチロック・ロック解除手段とラッチ没入保持手段とを有するラッチ部材出没機構Ｘを設け、前記ラッチロック・ロック解除手段は、内外の操作部材に設けられ、かつ、それぞれの回動操作に対応して回転する複数個の回転手段と、錠ケースに軸支され、かつ、後端部がこれらの回転手段の先端カム部に当接すると共に、先端部が下部・上部回転ラッチの各係合後端部にそれぞれ係合する下方・上方ラッチロックアームとから成り、前記操作部材をそれぞれ操作すると、各操作部材に連動する前記下方・上方ラッチロックアームを介して上部・下部回転ラッチの水平回転を個別的に許容し、室内外を問わず、操作部材を操作した側或いは操作した側の向こう側にしか開扉することができないようにしたことを特徴とする。
【０００６】
また本発明の扉用錠前は、錠ケースに上部回転ラッチと下部回転ラッチから成るラッチ部材を設け、また錠ケース内にラッチロック・ロック解除手段とラッチ没入保持手段とを有するラッチ部材出没機構を設け、前記ラッチ没入保持手段は、扉を開扉した際にラッチバネのバネ力に抗して錠ケース内に没入したラッチ部材の状態を保持することができるように、閉扉時バネ部材のバネ力により摺接頭部が受け金具に圧接するようにラッチ部材に対して配設されたトリガーと、このトリガーに可動的に設けられ、かつ、開扉の際に該トリガーに連動して錠ケース内に引っ込んだラッチ部材を係止するラッチ突出ストッパーとから成ることを特徴とする。
【０００７】
【発明の実施の形態】
以下、図面に示す第１実施例により本発明の実施の形態を説明する。この第１実施例は、扉を手前側に引く場合に適している。まず、図１は扉枠１側の受け金具２にラッチ部材３が入込んでいる初期（閉扉）状態の概略説明図である。受け金具２は、周知のようにトロヨケ２ａと、このトロヨケ２ａに固着手段を介して一体に設けられるストライク２ｂとから成る。一方、扉４側には錠ケース５が取付けられ、該錠ケース５内には操作部材（ノブ、レバーハンドル）６、１０によって連動するラッチ部材出没機構Ｘが組込まれている。
【０００８】
本発明では、基本的にはこのラッチ部材出没機構Ｘを構成するラッチロック・ロック解除手段（回転ラッチの水平回転をストッパーしたり、そのストッパーを解除する構成部材の意味。）７と、扉４を開扉した際にラッチバネ８のバネ力に抗して錠ケース５内に没入したラッチ部材３の状態を保持するラッチ没入保持手段９（回転ラッチの没入状態を保持したり、その保持状態を解消する構成部材の意味。）とから成る。そこで、これらの手段７、９に直接関係がない各部材（例えば操作部材６を初期状態に復帰させるバネ、ラッチ部材３の進退動を案内するガイド等）については、具体的な説明を割愛する。
【０００９】
次に、ラッチ部材３、ラッチ受け１４等について説明する。錠ケース５には、普通一般の錠前と同様にフロント板１２から突出するラッチ部材が設けられているが、本発明のラッチ部材３は、向きの違う上下の回転ラッチ３ａ、３ｂが互いに重なり合うように接合し、かつ、垂直軸１３を介して一体的に設けられている。上部回転ラッチ３ａと下部回転ラッチ３ｂは１組でラッチ部材３を構成する。ラッチ部材３は、普通一般のラッチ部材と同様にラッチバネ８のバネ力に抗して後退する。そして、上部・下部回転ラッチ３ａ、３ｂは、垂直軸１３を中心にそれぞれ反対方向に水平回転可能である。
【００１０】
ここで本発明の第１実施例を理解するために、ラッチ部材出没機構Ｘによって規制されるラッチ部材について説明する。第１実施例では、扉４を開けようとして操作部材６、１０を操作した時、上部・下部回転ラッチ３ａ、３ｂのいずれか一方のラッチしかその規制（ロック）が解除されず、このため扉４は操作部材６、１０を操作する人がいる側にしか開扉しない。例えば図１を基準にした場合、操作部材６を押し下げた時に於いて、ラッチロック・ロック解除手段７は下部回転ラッチ３ｂのロックを解除するが、上部回転ラッチ３ａのロックはそのままである。したがって、扉４を手前側に引いた場合に下部回転ラッチ３ｂが回転するので、扉４は操作部材６を操作する者の方へ開扉するが、逆に扉４を向う側に押すと、上部回転ラッチ３ａは回転しないので、扉４は反対（向こう）側には回転しない。つまり、第１実施例では室内外を問わず、操作部材６、１０を操作した側にしか開扉することができないのである。
【００１１】
そこで、これを念頭にラッチ部材３及びラッチ部材３に対するラッチ部材出没機構Ｘについてさらに作用と共に詳しく説明する。なお、本発明に於いては、例えば上部回転ラッチ３ａを反転すると下部回転ラッチ３ｂになる。このように反転すると同一の形態になる各部材については、一方の部材のみ説明し、他方の部材については、便宜上同一の符号を付し、重複する説明を省略する。
【００１２】
図２は上部回転ラッチ３ａ及び下部回転ラッチ３ｂから成るラッチ部材３、ラッチ受け１４、それにラッチバネ８を示す。図３はラッチ部材３を平面から見た状態、図４はラッチ部材３を横から見た状態である。図５は要部の分解斜視図である。
【００１３】
前述したように上部回転ラッチ３ａと、これを反転した状態で一体的に組合わせられた下部回転ラッチ３ｂとは同一形態である。そこで、上部回転ラッチ３ａについて説明すると、１５は受け金具２と係脱する係合先端部で、この係合先端部１５は、普通一般のラッチと同様に受け金具２のストライク２ｂと摺接する斜め方向の摺接面１５ａと、受け金具２内に進入した時に該受け金具２に係止される垂直係合面１５ｂとを有する。１６は係合先端部１５の上端部から平面三角形状に延びた係合後端部で、この係合後端部１６の一辺の縁部には、上方に指向する山形の係合突片１６ａが形成されている。１５ｃは係合先端部１５の後端面で、この後端面１５ｃは前記垂直係合面１５ｂに対して直角に交差している。
【００１４】
１４は端面コ字型のラッチ受け１４である。このラッチ受け１４は図２を基準にすると、横向きの逆コ字型であり、上部回転ラッチ３ａと下部回転ラッチ３ｂとの組合わせによって生じた嵌合空間１７に丁度入り込み、かつ、ラッチバネ８の先端部を受け入れる。したがって、ラッチ受け１４の前方側に相当する垂直壁１４ａは上部回転ラッチ３ａ（及び下部回転ラッチ３ｂ）の後端面１５ｃに圧接する。ラッチ受け１４は、ラッチバネ８のバネ力により各回転ラッチ３ａ、３ｂを常態へと復帰させる機能及びラッチバネ８を支持する機能を有する。ラッチバネ８の後端部は、図１で示すように錠ケース５内の中央部に固定されたラッチバネバネ支持片１８に支持されている。
【００１５】
前述したラッチロック・ロック解除手段７は、内外の操作部材６、１０、内外の操作部材６、１０のそれぞれ回動に対応して回転する複数個の回転手段２０、２１、これらの回転手段２０、２１によってそれぞれ個別的に回転する上下のラッチロックアーム２３、２２とから構成されている。
【００１６】
そこで、図１を基準にこれらの各部材について説明すると、符号２０は内側のレバーハンドル６によって回転する駆動板としての第１回転手段である。この第１回転手段２０の取付け端部２０ａは、図６で示すように内側操作軸（例えば内側ハンドル軸）２４に固定的に取付けられ、一方、中途部が角度方向に２度折り曲げながら、その先端カム部２０ｂは下方ラッチロックアーム２２の後端部２２ａの背面に当接している。
【００１７】
一方、符号２１は外側レバーハンドル１０によって回転する駆動板としての第２回転手段である。この第２回転手段２１は、図６で示すように外側操作軸（例えば外側ハンドル軸）２５に固定的に取付けらたナスビ形状の駆動板２６と、この駆動板２６に後端部が可動ピン２７を介して連結され、かつ、先端部寄りの部位は固定軸２８に軸支された連動板２９とから成り、前記連動板２９の先端カム部２９ａは、上方ラッチロックアーム２３の後端部２３ａの背面に当接している
。
【００１８】
ところで、前記下方ラッチロックアーム２２と上方ラッチロックアーム２３とは、ラッチバネ８を基準にすると、錠ケース５内に対称的に配設され、下方ラッチロックアーム２２は下方枢支ピン３０に枢支されていると共に、その先端部２２ｂは下部回転ラッチ３ｂの係合突片１６ａに係合（下部回転ラッチ３ｂを係止）する。一方、上方ラッチロックアーム２３は、上方枢支ピン３０ａに枢支されていると共に、その先端部２３ｂは上部回転ラッチ３ａの係合突片１６ａに係合（上部回転ラッチ３ａを係止）する。
【００１９】
したがって、図６を基準にすると、上部回転ラッチ３ａは上方ラッチロックアーム２３に規制されている限り、扉４を向う側（ＯＵＴ）に押しても、反時計方向（矢印Ａ）に回転せず、一方、下部回転ラッチ３ｂは下方ラッチロックアーム２２に規制されている限り、扉４を手前側（ＩＮ）に引いても、時計方向（矢印Ｂ）に回転しない。つまり、操作部材を操作し、この操作部材に連動して回転するラッチロックアームから、そのロックが解消された側の回転ラッチのみが回転する。それ故に、閉扉状態では上部・下部回転ラッチ３ａ、３ｂは、いずれも回転せず、扉４をいわゆる空締まりにする。
【００２０】
また前述したラッチ没入保持手段９は、開扉した際に、ラッチ部材３が突出状態になるのを防止するために設けられている。すなわち、操作部材６を操作し、操作した手前側に扉４を開けようとすると、一方の回転ラッチ（例えば下部回転ラッチ３ｂ）だけが、開扉を許容するように水平回転する訳であるが、一旦開扉すると、水平回転しなかった他方の回転ラッチ（例えば上部部回転ラッチ３ａ）は、ラッチバネ８のバネ力により突出状態となり、これでは閉扉の際にその垂直係合面１５ｂが受け金具２に当たってしまう（図１４参照）。したがって、ラッチ部材３は、開扉した際には引っ込んだままの状態であることが必要である。そこで、開扉した際にラッチ部材３を引っ込んだままの状態にするのが
ラッチ没入保持手段７である。
【００２１】
このラッチ没入保持手段９は、図１で示すように錠ケース５内の前側に配設され、該錠ケース５のフロント板１２に案内されていると共に、上下のラッチロックアーム２３、２２の各先端部２３ｂ、２２ｂにそれぞれ可動的に設けられた上下の各部材で構成されている。そして、上下の各部材はそれぞれ同一形態であり、しかも上下のラッチロックアーム２３、２２と同様にラッチ部材３に対して対称的なので、便宜上、上方のラッチ没入保持手段７のみに符号を付して説明する。
【００２２】
しかして、上方のラッチ没入保持手段９は、錠ケース５内のバネ部材３１のバネ力により、常時フロント板１２から突出する方向に付勢され、かつ、錠ケース５内に設けられた作動子としてのトリガー３２と、このトリガー３２の進退動に連動して回転するように、一端部３３ａがトリガー３２のカム部に支持され、かつ、中央部が枢軸３４を介して錠ケース５に軸支されていると共に、その他端部３３ｂが上部回転ラッチ３ａの係合突片１６ａの斜面と係合するラッチ突出ストッパー３３とから構成されている。
【００２３】
そこで、図５を参照に前記トリガー３２の形状を説明すると、３５はフロント板１２に形成された水平孔３６に案内され、かつ、閉扉の際に受け金具２のストライク２ｂと摺接（かつ押される）する摺接頭部で、この摺接頭部３５は平面から見ると、イカの耳（三角）形状に形成されている。３７はこの摺接頭部３５の後端面に一体的に固定された鉤状のカム部で、このカム部３７のテーパ面に前述したラッチ突出ストッパー３３の一端部３３ａが摺動自在に支持されている。
【００２４】
上記構成に於いて、図１は扉枠１側の受け金具２にラッチ部材３が入込んでいる初期（閉扉）状態である。この時ラッチ没入保持手段９の上下のラッチ突出ストッパー３３、３３は、上部・下部回転ラッチ３ａ、３ｂの各係合突片１６ａ、１６ａから外れている。したがって、上部・下部回転ラッチ３ａ、３ｂは、ラッチバネ８のバネ力により受け金具２内に進入し、かつ、受け金具２に係止されている。また上部・下部回転ラッチ３ａ、３ｂは、上方・下方ラッチロックアーム２３、２２の先端部２３ａ、２２ａに係止され、前述したように扉４は空締まりになっている。但し、ラッチ部材３は回転は不可能であっても、後退（引っ込み）可能である。
【００２５】
図７は内側ハンドル６を操作した場合の状態である。この場合下方ラッチロックアーム２２は、内側ハンドル６と共に時計方向に回転する第１回転手段２０により、反時計方向へと回転し、その結果、その先端部２２ｂは下部回転ラッチ３ｂはから外れる。したがって、下部回転ラッチ３ｂのロックが解除されたので、内側ハンドル６を多少引くと、下部回転ラッチ３ｂは回転し始める。と同時にラッチ部材３は、図８で示すようにラッチバネ８のバネ力に抗して錠ケース５内に後退する。この時ラッチ没入保持手段９の上下のラッチ突出ストッパー３３、３３は、図９に示すような状態となる。すなわち、ラッチ部材３が後退すると、各ラッチ突出ストッパー３３の他端部３３ｂは、上部・下部回転ラッチ３ａ、３ｂの各係合突片１６ａの前側の斜面とそれぞれ係合可能な状態となる。
【００２６】
そこで、図１０で示すように扉４をさらに手前側（ＩＮ）に引くと、上下のトリガー３２は受け金具２から食み出してフロント板１２から突出し始めるので、上下のラッチ突出ストッパー３３は、それぞれトリガー３２のカム部３７で掬い上げられ、その結果、図１１で示すように上下のラッチ突出ストッパー３３は、対応する上部・下部回転ラッチ３ａ、３ｂの各係合突片１６ａ、１６ａに係合する。したがって、ラッチ部材３はラッチ没入保持手段９により引込んだ状態に保持される。この時下部回転ラッチ３ｂの向きは元の状態に戻る。またトリガー３２の摺接先端部３５は突出状態となっている。
【００２７】
一方、扉４を閉める場合には、トリガー３２の摺接先端部３５は受け金具２のストライク２ｂに摺接し、錠ケース５内へと押し込まれるので、前述とは逆の作動態様となり、上下のラッチ突出ストッパー３３は、対応する上部・下部回転ラッチ３ａ、３ｂの各係合突片１６ａ、１６ａから外れる。この時ラッチ部材３は図１で示すように受け金具２のトロヨケ２ａ内に入込む。
【００２８】
なお、上記作動態様は、外側の操作部材１０を操作した場合も同様である。すなわち、外側ハンドル１０を操作した場合，第２の回転手段２１を介して上方・下方ラッチロックアーム２３の先端部２３が上部回転ラッチ３ａの係合突片１６ａから外れ、以下同様である。
【００２９】
【実施例】
まず第１実施例に於いて、ラッチ部材出没機構Ｘのラッチロック・ロック解除手段７は、室内外を問わず、操作部材６、１０を操作した側にしか開扉することができないように、その複数個の回転手段２０、２１と、これらの回転手段２０、２１に連動する下方・上方ラッチロックアーム２２、２３が適宜に組合わせているが、これらの回転手段２０、２１と下方・上方ラッチロックアーム２２、２３との組合わせ如何によって、ラッチロック・ロック解除手段は、室内外を問わず、操作部材を操作した向う側にしか開扉することができないように構成することもできる。この場合扉用錠前は、第１実施例の主要部の構成をそのまま含み、ラッチロック・ロック解除手段は、いわば「扉を押すだけの機構」と言うことになる。
【００３０】
図１２及び図１３は、「扉を押すだけの機構」を有する扉用錠前（第２実施例）を示す。この第２実施例が第１実施例と主に異なる点は、回転手段２０Ａ、２１Ａが室内外の操作部材６Ａ、１０Ａの操作軸２４Ａ、２５Ａに対して逆に配設されていることである。
【００３１】
したがって、図１２を基準に説明すると、ラッチロック・ロック解除手段７Ａは、室内側の操作部材６Ａを回転操作（押し下げる意味。）すると、第２回転手段２１Ａの連動板２９Ａは固定軸２８Ａを支点に反時計方向に回転し、その結果、上方ラッチロックアーム２３Ａは時計方向へと回転し、上部回転ラッチ３ａは回転可能な状態となる。
【００３２】
一方、向う側に相当する室外側の操作部材１０Ａを回転操作すると、第１回転手段２０Ａが時計方向に回転し、その結果、下方ラッチロックアーム２２Ａは反時計方向へと回転し、下部回転ラッチ３ａは回転可能な状態となる。
【００３３】
したがって、今仮に「車椅子に乗っている人」が扉４Ａを開けようとする場合に於いて、扉４Ａを手前側に引いても開扉しない反面、扉４Ａを向う側に押すと開扉すると言う利点がある。
【００３４】
【発明の効果】
以上の説明から明らかなように、本発明にあっては次に列挙するような効果がある。
（１）扉を開けようとする場合に、操作部材を操作する操作者側にしか扉が開かない。
（２）また扉を開けようとする場合に、操作部材を操作する側の向う側にしか扉が開かないので、「車椅子に乗った人」の利便性を図ることができる。
（３）開扉した際にラッチ部材が錠ケースのフロント板から突出し、その結果、
閉扉することができないというような不都合を解消することができる。
（４）各構成部材を合理的に組合わせることができる。
【図面の簡単な説明】
図１乃至図１１は本発明の第１実施例である。図１２及び図１３は本発明の第２実施例である。
【図１】概略説明図。
【図２】ラッチ部材、ラッチ受け、ラッチバネの説明図。
【図３】ラッチ部材を上から見た平面図。
【図４】ラッチ部材を横から見た正面図。
【図５】主要部の分解斜視図。
【図６】ラッチ部材出没機構のロック・ロック解除手段を上から見た説明図。
【図７】図１を基準に、内側の操作部材を操作した場合の概略説明図。
【図８】扉を手前側に引き始めた時の上から見た説明図。
【図９】図８に於いて、ラッチ没入保持手段の状態を示す説明図。
【図１０】さらに扉を手前側に引いて開扉した時の上から見た説明図。
【図１１】図１０に於いて、ラッチ没入保持手段の状態を示す説明図。
【図１２】第２実施例の概略説明図。
【図１３】第２実施例のラッチ部材出没機構のロック・ロック解除手段を上から
見た説明図（図６と同様の説明図）。
【図１４】本発明の目的を説明するための概略説明図。
【符号の説明】
１…扉枠、２…受け金具、３…ラッチ部材、３ａ…上部回転ラッチ、３ｂ…下部回転ラッチ、Ｘ…ラッチ部材出没機構、４…扉、５…錠ケース、６、１０…操作部材、７…ロック・ロック解除手段、８…ラッチバネ、９…ラッチ没入保持手段、１１…ラッチバネ受け、１２…フロント板、１３…垂直軸、１４…ラッチ受け、１５…係合先端部、１５ｂ…垂直係合面、１６…係合後端部、１７…嵌合空間、２０…第１回転手段、２０ａ…取付け端部、２０ｂ…先端カム部、２１…第２回転手段、２２…下方ラッチロックアーム、２３…上方ラッチロックアーム、２２ａ、２３ａ…後端部、２２ｂ、２３ｂ…先端部、２４…内側操作軸、２５…外側操作軸、２６…駆動板、２７…可動ピン、２８…固定軸、２９…連動板、２９ａ…先端カム部、３０…下方枢支ピン、３０ａ…上方枢支ピン、３１…バネ部材、３２…トリガー、３３…ラッチ突出ストッパー、３４…枢軸、３５…摺接頭部、３７…カム部。